【手続補正書】
【提出日】平成19年6月21日(2007.6.21)
【手続補正１】
【補正対象書類名】明細書
【補正対象項目名】特許請求の範囲
【補正方法】変更
【補正の内容】
【特許請求の範囲】
【請求項１】  パケット伝送リンクによって相互接続されているパケットスイッチングノードのインフラストラクチャを含むパケットスイッチングネットワーク内で移動ノードへのパケットのルート設定を制御する方法であって、前記パケットスイッチングノードは複数の固定されたコアノードと複数のアクセスノードとを含み、複数のアクセスノードへのルート設定経路は前記ルート設定経路に沿って置かれているパケットスイッチングノードによって行われる次のホップへの先方送りによって規定されていて、ルート設定経路は前記インフラストラクチャ内で所与のネットワークアドレスについて方向付けることができ、前記次のホップへの先方送りは、ルート設定プロトコル制御メッセージがパケットスイッチングノード間で送られるルート設定規定プロセスに応答して規定され、アクセスノードを通るルートの特徴を特定するルート設定プロトコルデータは前記パケットスイッチングノード内に記憶され、
前記移動ノードの第１のアクセスノードから第２のアクセスノードへの移動に応答して、前記パケットスイッチングノードの少なくとも１つにおいて前記移動ノードによって使用される第１のネットワークアドレスについて、前記次のホップへの先方送りを変更し、ルート設定制御メッセージを制限された数の前記パケットスイッチングノードへ送ることを含むルート設定規定プロセスによって、パケットを前記第２のアクセスノードを介して前記移動ノードへルート設定できるようにし、それにより前記ルート設定規定プロセスが終了した後で、
前記第１のネットワークアドレスについての第１のルート設定プロトコルデータが第１の組のパケットスイッチングノード内に保持されて、前記第１のルート設定プロトコルデータが前記第１のアクセスノードを通る第１のルートの特徴を特定し、
前記第１のネットワークアドレスについての第２のルート設定プロトコルデータが、前記第１の組のパケットスイッチングノードとは異なる、第２の組のパケットスイッチングノード内に保持されて、前記第２のルート設定プロトコルデータが前記第２のアクセスノードを通る第２のルートの特徴を特定することを含む方法。
【請求項２】  前記第２のプロトコルデータが、前記移動ノードを移動することによって前記第２のプロトコルデータが生成されることを示すデータを含む請求項１に記載の方法。
【請求項３】  前記移動を示すデータが、前記第１のアクセスノードから前記第２のアクセスノードへの移動のシーケンスを示す請求項２に記載の方法。
【請求項４】  前記第２のプロトコルデータの記憶を、実質的に、前記第２のアクセスノードと前記第１のアクセスノードとの間のルート設定経路の付近に置かれているパケットスイッチングノードに制限することを含む請求項１ないし請求項３の何れか１項に記載の方法。
【請求項５】  前記第２のアクセスノードから注入されるルート設定プロトコルメッセージに応答して、前記第２のルート設定プロトコルデータを生成することを含む請求項１ないし請求項４の何れか１項に記載の方法。
【請求項６】  前記ルート設定プロトコルデータが、前記移動ノードへ向け、かつ前記アクセスノードを通るルートに沿った多数のホップに関係している請求項１ないし請求項５の何れか１項に記載の方法。
【請求項７】  第２の組のパケットスイッチングノードが、前記第１のパケットスイッチングノードのサブセットを含み、前記第２のルート設定プロトコルデータが前記第１のルート設定プロトコルデータに優先して使用されて、前記第１のルート設定プロトコルデータと前記第２のプロトコルデータの両者を保持するパケットスイッチングノードにおいて次のホップへのルート設定の決定を判断する請求項１ないし請求項６の何れか１項に記載の方法。
【請求項８】  前記第１のネットワークアドレスへ向かうパケットをルート設定するとき、前記第１の組のパケットスイッチングノードの少なくとも１つと前記第２の組のパケットスイッチングノードのうちの１つのみとを含んでいる複数の隣り合うパケットスイッチングノードをもっているパケットスイッチングノードから、前記第１の組のパケットスイッチングノードの前記少なくとも１つに優先して前記第２の組のパケットスイッチングノードの前記１つへ前記パケットをルート設定することを含む請求項１ないし請求項７の何れか１項に記載の方法。
【請求項９】  前記第１の組のパケットスイッチングノードの少なくとも１つと前記第２の組のパケットスイッチングノードの少なくとも１つとを介して、前記第１のネットワークアドレスへ向かうパケットをルート設定することを含む請求項１ないし請求項８の何れか１項に記載の方法。
【請求項１０】  前記第１および第２のルート設定プロトコルが、ルート設定プロトコルデータが保持されているパケットスイッチングノードに隣り合うパケットスイッチングノードへの次のホップへのルート設定に関係し、前記第１のルート設定プロトコルデータが第１の複数のパケットスイッチングノードへの次のホップのルート設定に関係し、前記第２のデータのルート設定プロトコルデータが第２の複数のパケットスイッチングノードへの次のホップへのルート設定に関係し、前記第１および前記第２の複数のパケットスイッチングノードが互いに排他的である請求項１ないし請求項９の何れか１項に記載の方法。
【請求項１１】  前記第１のネットワークアドレスについて、前記第１、第２、および第３のルート設定プロトコルデータを同時に保持することを含み、何れかのパケットを介して第３のアクセスノードに関係している前記第３のルート設定プロトコルデータが現在、前記第１のネットワークアドレスを使用して、第１の組および第２の組の前記パケットスイッチングノードとは異なる、第３の組のパケットスイッチングノードにおいて前記移動ノードへ送られる請求項１ないし請求項１０の何れか１項に記載の方法。
【請求項１２】  前記第３のルート設定プロトコルデータが、ルート設定プロトコルデータが保持されているパケットスイッチングノードに隣り合うパケットスイッチングノードへの次のホップへのルート設定に関係し、前記第３のルート設定プロトコルデータが第３の複数のパケットスイッチングノードへの次のホップへのルート設定に関係し、前記第１、前記第２、および前記第３の複数のパケットスイッチングノードが互いに排他的である請求項１０または請求項１１に記載の方法。
【請求項１３】  前記第３のルート設定プロトコルデータが、前記第３のアクセスノードには関係しているが、前記第１および第２のアクセスノードには関係していないデータを含む請求項１１または請求項１２に記載の方法。
【請求項１４】  前記第１、第２、および第３のルート設定プロトコルデータが、前記第１のアクセスノードから前記第２のアクセスノードへの移動および前記第２のアクセスノードから前記第３のアクセスノードへの移動のシーケンスを示すデータを含む請求項１１ないし請求項１３の何れか１項に記載の方法。
【請求項１５】  前記第１のネットワークアドレスへ向かうパケットをルート設定するときは、前記第１の組または前記第２の組、あるいはこの両者のパケットスイッチングノードの少なくとも１つと、前記第３の組のパケットスイッチングノードのうちの１つのみとを含んでいる複数の隣り合うパケットスイッチングノードをもつパケットスイッチングノードから、前記第１の組または前記第２の組、あるいはこの両者のパケットスイッチングノードの前記少なくとも１つに優先して前記第３の組のパケットスイッチングノードの前記１つへ、前記パケットをへルート設定することを含む請求項１１ないし請求項１４の何れか１項に記載の方法。
【請求項１６】  前記第１の組のパケットスイッチングノードの少なくとも１つ、前記第２の組のパケットスイッチングノードの少なくとも１つ、および前記第３の組のパケットスイッチングノードの少なくとも１つを介して前記第１のネットワークアドレスへ向かうパケットをルート設定することを含む請求項１１ないし請求項１５の何れか１項に記載の方法。